(57)【特許請求の範囲】
【請求項１】
ベース上に立設した仕切板により、圧縮機室と、ドレン水を溜める凹陥部を備えた熱交換器室とに区画し、前記圧縮機室に圧縮機を設ける一方、前記熱交換器室の凹陥部上に、前記ドレン水に侵される熱交換器を設けるとともに、前記熱交換器に対向して送風機を設け、前記ベースに、前記送風機を臨ませる吹出グリルを備えた外胴を被着してなる空気調和機の室外機において、
前記熱交換器は、長手方向の一側の下端部に、同一側より外方に突出する突出部と、長手方向の一側の上端部に、同一側より内方に切欠する切欠部とが連続形成されており、前記突出部と切欠部とが上下において互いに逆向きに連続形成されるように、矩形状の一枚の板材の上端から下端に向けて形成されるＬ字状の上部切断部と、下端から上端に向けて形成されるＬ字状の下部切断部と、これ等上部切断部と下部切断部の先端を結ぶ中央切断部とからなる切断部を切断して左右に二枚同時に成形されるフィンを複数並べて構成されていることを特徴とする空気調和機の室外機。
【発明の詳細な説明】
【０００１】
【発明の属する技術分野】
本発明は、空気調和機の室外機に係わり、より詳細には、冷房運転時にドレン水により熱交換器を効果的に冷却してスプラッシュ効果を高めることができるようにした構造に関する。
【０００２】
【従来の技術】
従来の空気調和機の室外機は、例えば図１と、図３（Ａ）および図３（Ｂ）とで示すように、ベース１上を、同ベース１上に立設した仕切板２により圧縮機室とドレン水を溜める凹陥部３を備えた熱交換器室とに区画し、前記圧縮機室に圧縮機４を設け、前記熱交換器室の凹陥部３上に、等間隔により平行に並べられた多数のフィン5aと、これに直交する伝熱管5bとで構成され、冷房運転時に前記フィン5aの下部が前記ドレン水に浸される熱交換器５を設け、同熱交換器５に対向する送風ファン7aおよびファンモータ7bからなる送風機７を設け、前記ベース１に、前記送風機７を臨ませる吹出グリル８を備えた外胴９を被着してなり、前記ドレン水により前記熱交換器５が冷却されるようにした所謂スプラッシュ効果によって、同熱交換器５の熱交換効率を向上させるようにした構成であった。
【０００３】
しかしながら、ドレン水に浸らせた前記フィン5aの熱伝導率が不充分なため、前記スプラッシュ効果を充分に挙げることができなかった。
また、前記フィン5aが、例えば図３（Ｂ）で示すように、切断部ｃから切断されて略矩形状に形成されていることから、図３（Ａ）で示す破線の矢印d'のように、前記外胴２に近接する上端部の通気性が悪くなって前記熱交換器５の熱交換効率を劣化させる原因になっていた。
【０００４】
【発明が解決しようとする課題】
本発明においては、上記の問題点に鑑み、冷房運転時にドレン水により熱交換器を効果的に冷却してスプラッシュ効果を高めることができるようにした空気調和機の室外機を提供することを目的とする。
【０００５】
本発明は、上記課題を解決するため、ベース上に立設した仕切板により、圧縮機室と、ドレン水を溜める凹陥部を備えた熱交換器室とに区画し、前記圧縮機室に圧縮機を設ける一方、前記熱交換器室の凹陥部上に、前記ドレン水に侵される熱交換器を設けるとともに、前記熱交換器に対向して送風機を設け、前記ベースに、前記送風機を臨ませる吹出グリルを備えた外胴を被着してなる空気調和機の室外機において、
前記熱交換器は、長手方向の一側の下端部に、同一側より外方に突出する突出部と、長手方向の一側の上端部に、同一側より内方に切欠する切欠部とが連続形成されており、前記突出部と切欠部とが上下において互いに逆向きに連続形成されるように、矩形状の一枚の板材の上端から下端に向けて形成されるＬ字状の上部切断部と、下端から上端に向けて形成されるＬ字状の下部切断部と、これ等上部切断部と下部切断部の先端を結ぶ中央切断部とからなる切断部を切断して左右に二枚同時に成形されるフィンを複数並べて構成されている。
【０００６】
また、前記熱交換器を構成するフィンの上端部に、切欠部を連続形成した構成となっている。
【０００７】
また、前記熱交換器を構成するフィンが、前記延出部に対応する切欠部を備えて一枚の板材により二枚同時に成形された構成となっている。
【０００８】
更に、前記熱交換器は、前記切欠部が風下側となるように配置された構成となっている。
【０００９】
【発明の実施の形態】
以下、本発明の実施の形態を、添付図面に基づいた実施例として説明する。
図１は本発明（および従来例）による空気調和機の室外機の分解斜視図であり、図２は本発明による空気調和機の室外機の要部説明図で、（Ａ）は熱交換器の断面図、（Ｂ）は熱交換器のフィンを示す平面図である。
【００１０】
図において、１は本発明による空気調和機の室外機を構成するベース、２は同ベース１上に立設されて、同ベース１上を圧縮機室と熱交換器室とに区画する仕切板、３は前記ベース１上に設けられたドレン水を溜めるための凹陥部、４は前記ベース１上の圧縮機室に載置された圧縮機、５は前記熱交換器室の凹陥部３上に設けられ、等間隔により平行に並べられた多数のフィン5aと、これに直交する伝熱管5bとで構成され、冷房運転時に前記フィン5aの下部を前記ドレン水に浸すようにした熱交換器、７は同熱交換器５に対向する送風ファン7aおよびファンモータ7bからなる送風機、６は前記送風ファン5aの外形部に沿うように設けられたファンリング、９は前記ベース１に被着され、前記送風機７を臨ませる吹出グリル８を備えた外胴である。
【００１１】
次に、上記に説明した構成でなる空気調和機の室外機において、冷房運転時にドレン水により熱交換器５を効果的に冷却してスプラッシュ効果を高めることができるようにした構造について以下に説明する。
【００１２】
前記熱交換器５を構成するフィン５aは、長手方向の一側の下端部に、図２（Ａ）で示すように、一側より外方に突出する突出部aが連続形成されている。この突出部aにより、ドレン水との接触面積が拡大され、放熱効果が促進されることになり、熱交換器の熱交換効率を向上させることができる。
【００１３】
前記熱交換器５を構成するフィン５aは、長手方向の一側の上端部に、図２（Ａ）で示すように、一側より内方に切欠する切欠部bが連続形成されている。この切欠部bにより、破線で示す矢印dのように、前記外胴２のフランジに近接する上端部の通気性が良くなって、熱交換器の熱交換効率を向上させることができる。
【００１４】
前記熱交換器５を構成するフィン５aは、一枚の板材をプレス加工することにより二枚同時に成形されるものであるが、前記突出部aと切欠部bとが上下において互いに逆向きに連続形成されるように、図２（Ｂ）に示すように、矩形状の一枚の板材の上端から下端に向けて形成されるＬ字状の上部切断部と、下端から上端に向けて形成されるＬ字状の下部切断部と、これ等上部切断部と下部切断部の先端を結ぶ中央切断部とからなる切断部cを切断して左右に二枚同時に成形されるもので、これらフィン５aを複数並べて前記熱交換器５は構成されており、従来技術のフィンと同等の材料費で製作することが可能となる。
以上
【００１６】
【発明の効果】
以上のように本発明によると、冷房運転時にドレン水により熱交換器を効果的に冷却してスプラッシュ効果を高めることができるようにした空気調和機の室外機となる。
【図面の簡単な説明】
【図１】本発明および従来例による空気調和機の室外機の分解斜視図である。
【図２】本発明による空気調和機の室外機の要部説明図で、（Ａ）は熱交換器の断面図であり、（Ｂ）は熱交換器のフィンを示す平面図である。
【図３】従来例による空気調和機の室外機の要部説明図で、（Ａ）は熱交換器の断面図であり、（Ｂ）は熱交換器のフィンを示す平面図である。
【符号の説明】
１  ベース
２  仕切板
３  凹陥部
４  圧縮機
５  熱交換器
5a  フィン
5b  伝熱管
６  ファンリング
７  送風機
7a  送風ファン
7b  ファンモータ
８  吹出グリル
９  外胴
ａ  延出部
ｂ  切欠部
ｃ  切断部
【図１】
0004599695.tif 000002
【図２】
0004599695.tif 000003
【図３】
0004599695.tif 000004